【手続補正書】
【提出日】平成28年4月14日(2016.4.14)
【手続補正１】
【補正対象書類名】特許請求の範囲
【補正対象項目名】全文
【補正方法】変更
【補正の内容】
【特許請求の範囲】
【請求項１】
パーソナルオーディオデバイスであって、
パーソナルオーディオデバイス筐体と、
オーディオ信号を再現するために前記筐体上に搭載された変換器であって、前記オーディオ信号は、聴取者への再生のためのソースオーディオと、前記変換器の音響出力内の周囲オーディオ音の影響を打ち消すための反雑音信号との両方を含む、変換器と、
前記変換器に近接して前記筐体上に搭載されたエラーマイクロホンであって、前記エラーマイクロホンは、前記変換器の音響出力と前記変換器における周囲オーディオ音とを示すエラーマイクロホン信号を提供するための、エラーマイクロホンと、
前記周囲オーディオ音を示す基準マイクロホン信号を提供するための、前記筐体上に搭載された基準マイクロホンと、
雑音信号を提供するための雑音ソースと、
前記基準マイクロホン信号から第１の反雑音信号を生成する第１の適応フィルタと、前記ソースオーディオを成形する二次経路応答を有する二次経路適応フィルタと、エラー信号を提供するために、結果として生じる成形されたソースオーディオを前記エラーマイクロホン信号から除去する結合器とを実装し、前記処理回路は、フィルタ処理されたエラー信号を発生させるために前記エラー信号を所定の応答によってフィルタ処理し、前記エラー信号および前記基準マイクロホン信号に従って、前記聴取者によって聞き取られる前記周囲オーディオ音の存在を低減させるための前記反雑音信号を得るために、前記第１の反雑音信号を前記フィルタ処理されたエラー信号と結合させ、雑音の断続的なバーストを前記雑音ソースから前記二次経路適応フィルタと前記変換器によって再現される前記オーディオ信号とに投入し、前記雑音の断続的なバーストの間、前記二次経路適応フィルタが適応することを可能にする、処理回路と
を備えている、パーソナルオーディオデバイス。
【請求項２】
前記処理回路は、前記エラー信号および前記基準マイクロホン信号に従って、前記第１の適応フィルタの前記応答を成形する、請求項１に記載のパーソナルオーディオデバイス。
【請求項３】
雑音の断続的なバーストが投入されている間、前記第１の適応フィルタは、適応することを防止され、前記二次経路適応フィルタは、適応するようにされ、前記雑音の断続的なバーストが終了すると、前記第１の適応フィルタは、適応することを可能にされるように、前記処理回路が前記第１の適応フィルタおよび前記二次経路適応フィルタの適応をさらに制御する、請求項２に記載のパーソナルオーディオデバイス。
【請求項４】
前記雑音の断続的なバーストが終了すると、前記二次経路適応フィルタは、適応することを防止されるように、前記処理回路が前記第１の適応フィルタおよび前記二次経路適応フィルタの適応をさらに制御する、請求項３に記載のパーソナルオーディオデバイス。
【請求項５】
前記処理回路は、前記第１の適応フィルタの１つ以上の係数が許容される閾値を超える変化率を有することを決定し、前記処理回路は、前記第１の適応フィルタの前記１つ以上の係数が前記許容される閾値を超える前記変化率を有することを検出することに応答して、前記雑音の断続的なバーストのうちの１つ以上を前記雑音ソースから前記二次経路適応フィルタと前記変換器によって再現される前記オーディオ信号とに投入し、前記二次経路適応フィルタが適応することを可能にする、請求項３に記載のパーソナルオーディオデバイス。
【請求項６】
前記処理回路は、前記処理回路が前記雑音の断続的なバーストを投入している間、前記第１の適応フィルタの適応率を変更する、請求項１に記載のパーソナルオーディオデバイス。
【請求項７】
前記処理回路は、前記処理回路が前記雑音の断続的なバーストを投入している間、前記第１の適応フィルタの適応率を低減させる、請求項６に記載のパーソナルオーディオデバイス。
【請求項８】
前記処理回路は、前記二次経路適応フィルタが適応することを可能にされてから所定の期間が経過したことを決定することに応答して、前記雑音の断続的なバーストうちの１つ以上を投入する、請求項１に記載のパーソナルオーディオデバイス。
【請求項９】
前記処理回路は、前記ソースオーディオが、前記二次経路適応フィルタが適応することを可能にするために十分な振幅を有するかどうか検出し、前記所定の期間が経過したことを決定することは、前記ソースオーディオが、少なくとも前記所定の期間の間、前記二次経路適応フィルタが適応することを可能にするために十分な振幅を有していなかったことを示す、請求項８に記載のパーソナルオーディオデバイス。
【請求項１０】
前記処理回路は、前記ソースオーディオ内の遠隔呼出信号を検出し、前記処理回路は、前記遠隔呼出信号が完了したことを検出することに応答して、前記雑音の断続的なバーストのうちの１つ以上を投入する、請求項１に記載のパーソナルオーディオデバイス。
【請求項１１】
前記処理回路は、呼出シーケンスの第１の遠隔呼出信号後のみ、前記雑音の断続的なバーストのうちの１つ以上を投入し、呼出シーケンスの後続の遠隔呼出信号後は、前記雑音の断続的なバーストのいずれも投入しない、請求項１０に記載のパーソナルオーディオデバイス。
【請求項１２】
前記処理回路は、前記ソースオーディオ内の遠隔呼出信号を検出し、前記処理回路は、前記遠隔呼出信号を検出することに応答して、前記遠隔呼出信号の間、前記雑音の断続的なバーストのうちの１つ以上を投入する、請求項１に記載のパーソナルオーディオデバイス。
【請求項１３】
前記処理回路は、呼出シーケンスの第１の遠隔呼出信号を検出することに応答してのみ、前記雑音の断続的なバーストのうちの１つ以上を投入し、呼出シーケンスの後続の遠隔呼出信号の間または後は、前記雑音の断続的なバーストのいずれも投入しない、請求項１２に記載のパーソナルオーディオデバイス。
【請求項１４】
前記処理回路は、前記パーソナルオーディオデバイスが参加している電話会話の間、前記雑音の断続的なバーストのうちの１つ以上を投入する、請求項１に記載のパーソナルオーディオデバイス。
【請求項１５】
パーソナルオーディオデバイスによって周囲オーディオ音の影響を打ち消す方法であって、前記方法は、
前記周囲オーディオ音を示す基準マイクロホン信号を提供することと、
エラー信号と前記基準マイクロホン信号とに従って、聴取者によって聞き取られる前記周囲オーディオ音の存在を低減させるために、反雑音信号を適応的に発生させることであって、当該適応的に発生させることは第１の適応フィルタによって前記基準マイクロホン信号から第１の反雑音信号を発生させることになることと、
前記反雑音信号をソースオーディオと組み合わせることと、
前記組み合わせの結果を変換器に提供することと、
前記変換器の音響出力および前記周囲オーディオ音をエラーマイクロホンによって測定することと、
前記ソースオーディオを成形する二次経路応答を有する二次経路適応フィルタと、前記フィルタ処理されたエラー信号を提供するために、結果として生じる成形されたソースオーディオを前記エラーマイクロホン信号から除去し、結果として生じる自身の出力を所定の応答でフィルタ処理する結合器とによって前記ソースオーディオを成形することと、
前記反雑音信号を得るために、前記第１の反雑音信号を前記フィルタ処理されたエラー信号と結合させることと、
雑音の断続的なバーストを雑音ソースから前記二次経路適応フィルタと前記変換器によって再現される前記オーディオ信号とに投入することと、
前記雑音の断続的なバーストの間、前記二次経路適応フィルタが適応することを可能にすることと
を含む、方法。
【請求項１６】
前記適応的に発生させることは、前記エラー信号および前記基準マイクロホン信号に従って、前記第１の適応フィルタの前記応答を成形することをさらに含む、請求項１５に記載の方法。
【請求項１７】
雑音の断続的なバーストが投入されている間、前記第１の適応フィルタは、適応することを防止され、前記二次経路適応フィルタは、適応するようにされ、前記雑音の断続的なバーストが終了すると、前記第１の適応フィルタは、適応することを可能にされるように、前記第１の適応フィルタおよび前記二次経路適応フィルタの適応を制御することをさらに含む、請求項１６に記載の方法。
【請求項１８】
雑音の断続的なバーストが投入されている間、前記第１の適応フィルタは、適応することを防止され、前記二次経路適応フィルタは、適応するようにされ、前記雑音の断続的なバーストが終了すると、前記第１の適応フィルタは、適応することを可能にされ、前記二次経路適応フィルタは、適用することを防止されるように、前記制御することが前記第１の適応フィルタおよび前記二次経路適応フィルタの適応を制御する、請求項１７に記載の方法。
【請求項１９】
前記第１の適応フィルタの１つ以上の係数が許容される閾値を超える変化率を有することを決定することと、
前記雑音の断続的なバーストのうちの１つ以上を前記雑音ソースから前記二次経路適応フィルタと前記変換器によって再現されるオーディオ信号とに投入することと、
前記第１の適応フィルタの前記１つ以上の係数が前記許容される閾値を超える前記変化率を有することを検出することと、
前記第１の適応フィルタの前記１つ以上の係数が前記許容される閾値を超える前記変化率を有することを検出することに応答して、前記二次経路適応フィルタが適応することを可能にすることと
をさらに含む、請求項１７に記載の方法。
【請求項２０】
前記投入の間、前記第１の適応フィルタの適応率を変更することをさらに含む、請求項１５に記載の方法。
【請求項２１】
前記投入の間、前記第１の適応フィルタの適応率を低減させることをさらに含む、請求項２０に記載の方法。
【請求項２２】
前記投入することは、前記二次経路適応フィルタが適応することを可能にされてから所定の期間が経過したことを決定することに応答して、前記雑音の断続的なバーストのうちの１つ以上を投入する、請求項１５に記載の方法。
【請求項２３】
前記ソースオーディオが、前記二次経路適応フィルタが適応することを可能にするために十分な振幅を有するかどうかを検出することをさらに含み、前記所定の期間が経過したことを決定することは、前記ソースオーディオが、少なくとも前記所定の期間の間、前記二次経路適応フィルタが適応することを可能にするために十分な振幅を有していなかったことを示す、請求項２２に記載の方法。
【請求項２４】
前記ソースオーディオ内の遠隔呼出信号を検出することをさらに含み、前記投入することは、前記遠隔呼出信号が完了したことを検出することに応答して、前記雑音の断続的なバーストのうちの１つ以上を投入する、請求項１５に記載の方法。
【請求項２５】
前記投入することは、呼出シーケンスの第１の遠隔呼出信号後のみ、前記雑音の断続的なバーストのうちの１つ以上を投入し、呼出シーケンスの後続の遠隔呼出信号後は、前記雑音の断続的なバーストのいずれも投入しない、請求項２４に記載の方法。
【請求項２６】
前記ソースオーディオ内の遠隔呼出信号を検出することをさらに含み、前記投入することは、前記遠隔呼出信号を検出することに応答して、前記遠隔呼出信号の間、前記雑音の断続的なバーストのうちの１つ以上を投入する、請求項１５に記載の方法。
【請求項２７】
前記投入することは、呼出シーケンスの第１の遠隔呼出信号を検出することに応答してのみ、前記雑音の断続的なバーストのうちの１つ以上を投入し、呼出シーケンスの後続の遠隔呼出信号の間または後、前記雑音の断続的なバーストのいずれも投入しない、請求項２６に記載の方法。
【請求項２８】
前記投入することは、前記パーソナルオーディオデバイスが参加している電話会話の間、前記雑音の断続的なバーストのうちの１つ以上を投入する、請求項１５に記載の方法。
【請求項２９】
パーソナルオーディオデバイスの少なくとも一部を実装するための集積回路であって、
出力信号を出力変換器に提供するための出力であって、前記出力信号は、聴取者への再生のためのソースオーディオと前記変換器の音響出力内の周囲オーディオ音の影響を打ち消すための反雑音信号との両方を含む、出力と、
前記変換器の音響出力と前記変換器における周囲オーディオ音とを示すエラーマイクロホン信号を受信するためのエラーマイクロホン入力と、
前記周囲オーディオ音を示す基準マイクロホン信号を提供するための、前記筐体上に搭載された基準マイクロホンと、
雑音信号を提供するための雑音ソースと、
前記基準マイクロホン信号から第１の反雑音信号を生成する第１の適応フィルタと、前記ソースオーディオを成形する二次経路応答を有する二次経路適応フィルタと、エラー信号を提供するために、結果として生じる成形されたソースオーディオを前記エラーマイクロホン信号から除去する結合器とを実装し、前記処理回路は、フィルタ処理されたエラー信号を発生させるために前記エラー信号を所定の応答によってフィルタ処理し、前記エラー信号および前記基準マイクロホン信号に従って、前記聴取者によって聞き取られる前記周囲オーディオ音の存在を低減させるための前記反雑音信号を得るために、前記第１の反雑音信号を前記フィルタ処理されたエラー信号と結合させ、雑音の断続的なバーストを前記雑音ソースから前記二次経路適応フィルタと前記変換器によって再現されるオーディオ信号とに投入し、前記雑音の断続的なバーストの間、前記二次経路適応フィルタが適応することを可能にする、処理回路と
を備えている、集積回路。
【請求項３０】
前記処理回路は、前記エラー信号および前記基準マイクロホン信号に従って、前記第１の適応フィルタの前記応答を成形する、請求項２９に記載の集積回路。
【請求項３１】
雑音の断続的なバーストが投入されている間、前記第１の適応フィルタは、適応することを防止され、前記二次経路適応フィルタは、適応するようにされ、前記雑音の断続的なバーストが終了すると、前記第１の適応フィルタは、適応することを可能にされるように、前記処理回路が前記第１の適応フィルタおよび前記二次経路適応フィルタの適応をさらに制御する、請求項３０に記載の集積回路。
【請求項３２】
前記雑音の断続的なバーストが終了すると、前記二次経路適応フィルタは、適応することを防止されるように、前記処理回路が前記第１の適応フィルタおよび前記二次経路適応フィルタの適応をさらに制御する、請求項３１に記載の集積回路。
【請求項３３】
前記処理回路は、前記第１の適応フィルタの１つ以上の係数が許容される閾値を超える変化率を有することを決定し、前記処理回路は、前記第１の適応フィルタの前記１つ以上の係数が前記許容される閾値を超える前記変化率を有することを検出することに応答して、前記雑音の断続的なバーストのうちの１つ以上を前記雑音ソースから前記二次経路適応フィルタと前記変換器によって再現されるオーディオ信号とに投入し、前記二次経路適応フィルタが適応することを可能にする、請求項３１に記載の集積回路。
【請求項３４】
前記処理回路は、前記処理回路が前記雑音の断続的なバーストを投入している間、前記第１の適応フィルタの適応率を変更する、請求項２９に記載の集積回路。
【請求項３５】
前記処理回路は、前記処理回路が前記雑音の断続的なバーストを投入している間、前記第１の適応フィルタの適応率を低減させる、請求項３４に記載の集積回路。
【請求項３６】
前記処理回路は、前記二次経路適応フィルタが適応することを可能にされてから所定の期間が経過したことを決定することに応答して、前記雑音の断続的なバーストうちの１つ以上を投入する、請求項２９に記載の集積回路。
【請求項３７】
前記処理回路は、前記ソースオーディオが、前記二次経路適応フィルタが適応することを可能にするために十分な振幅を有するかどうか検出し、前記所定の期間が経過したことを決定することは、前記ソースオーディオが、少なくとも前記所定の期間の間、前記二次経路適応フィルタが適応することを可能にするために十分な振幅を有していなかったことを示す、請求項３６に記載の集積回路。
【請求項３８】
前記処理回路は、前記ソースオーディオ内の遠隔呼出信号を検出し、前記処理回路は、前記遠隔呼出信号が完了したことを検出することに応答して、前記雑音の断続的なバーストのうちの１つ以上を投入する、請求項２９に記載の集積回路。
【請求項３９】
前記処理回路は、呼出シーケンスの第１の遠隔呼出信号後のみ、前記雑音の断続的なバーストのうちの１つ以上を投入し、呼出シーケンスの後続の遠隔呼出信号後は、前記雑音の断続的なバーストのいずれも投入しない、請求項３８に記載の集積回路。
【請求項４０】
前記処理回路は、前記ソースオーディオ内の遠隔呼出信号を検出し、前記処理回路は、前記遠隔呼出信号を検出することに応答して、前記遠隔呼出信号の間、前記雑音の断続的なバーストのうちの１つ以上を投入する、請求項２９に記載の集積回路。
【請求項４１】
前記処理回路は、呼出シーケンスの第１の遠隔呼出信号を検出することに応答してのみ、前記雑音の断続的なバーストのうちの１つ以上を投入し、呼出シーケンスの後続の遠隔呼出信号の間または後は、前記雑音の断続的なバーストのいずれも投入しない、請求項４０に記載の集積回路。
【請求項４２】
前記処理回路は、前記パーソナルオーディオデバイスが参加している電話会話の間、前記雑音の断続的なバーストのうちの１つ以上を投入する、請求項２９に記載の集積回路。